(57)【要約】【課題】鞄用持ち手を厚さの厚い鞄から薄い鞄にまで取付けることができる汎用性の広い構造とし、鞄内の収納物の重量バランスを均等に保つことができ、さらに鞄に側方から衝撃が加えられたり、鞄の重量及び不意の衝撃等にも十分に耐え得る構造とした鞄用持ち手を提供する。【解決手段】上方開口部を前後各側の方向に開く構造の鞄における前後各側の上部に別体で第１のハンドルと第２のハンドルが設けられると共に、夫々の第１のハンドルと第２のハンドルは、把持部と該把持部の両端に垂設された脚部とから構成され、夫々の把持部が互いに着脱自在に結合されることによって合体するようにした鞄用持ち手において、各脚部の１箇所又は２箇所にヒンジ構造によって回動自在に結合された連結部が設けられ、各脚部の最下部を構成する下脚部には鞄の開口部の前後各側の上部に固定された折返し形状の帯部材を挿着する挿通穴が設けられている。【選択図】図１
2012110496.tif 000002
【特許請求の範囲】
【請求項１】
上方開口部を前後各側の方向に開く構造の鞄における前後各側の上部に別体で第１のハンドルと第２のハンドルが設けられると共に、夫々の第１のハンドルと第２のハンドルは、把持部と該把持部の両端に垂設された脚部とから構成され、夫々の把持部が互いに着脱自在に結合されることによって合体するようにした鞄用持ち手において、
各脚部の１箇所又は２箇所にヒンジ構造によって回動自在に結合された連結部が設けられ、各脚部の最下部を構成する下脚部には鞄の開口部の前後各側の上部に固定された折返し形状の帯部材を挿着する挿通穴が設けられていることを特徴とする鞄用持ち手。
【請求項２】
各脚部の１箇所をヒンジ構造によって回動自在に結合した連結部を設けた場合、各脚部は上脚部と下脚部とからなり、上脚部と下脚部の連結部に互いに嵌合する凹部と凸部とが形成され、これら凹部と凸部との嵌合部が軸部材で回動自在に連結されていることを特徴とする請求項１記載の鞄用持ち手。
【請求項３】
各脚部の２箇所をヒンジ構造によって回動自在に結合した連結部を設けた場合、各脚部は上脚部と中脚部と下脚部とからなり、上脚部と中脚部と下脚部の各連結部に互いに嵌合する凹部と凸部とが形成され、これら凹部と凸部との嵌合部が軸部材で回動自在に連結されていることを特徴とする請求項１記載の鞄用持ち手。
【請求項４】
第１のハンドルと第２のハンドルの各把持部の結合構造は、
第１のハンドルの内側面に設けられた凸部を第２のハンドルの内側面に設けられた嵌合穴に嵌合することによって各ハンドルが位置合わせされた状態で合体され、
第１のハンドルの内側に形成された横長凹溝に移動片が摺動自在に嵌合され、該移動片の一端がバネで横長凹溝の長手方向に付勢されると共に、移動片の他端に形成されたボタンが第１のハンドルの端部からバネの付勢力に抗して押し込み自在に突出され、
第１のハンドルの移動片の面内に爪を有する穴部が形成されると共に、第２のハンドルの内側板に溝付き凸部が設けられ、穴部の爪が溝付き凸部の溝に係止されることによって第１のハンドルと第２のハンドルとの結合状態が維持される一方、
移動片のボタンをバネの付勢力に抗して押し込むことによって穴部の爪が溝付き凸部の溝に係止された状態から解除されるように構成されたことを特徴とする請求項１、２又は３記載の鞄用持ち手。
【発明の詳細な説明】
【技術分野】
【０００１】
本発明は、鞄を厚さ方向の前後に開くように構成した開口部の各側に鞄用持ち手が取り付けられると共に、着脱自在に結合することができるようにした鞄用持ち手に関する。
【背景技術】
【０００２】
従来から、鞄を前後に開くようにした開口部の各側に持ち手を別体で設け、夫々の持ち手を合体した状態で握るように構成した鞄用持ち手が知られている。このような鞄用持ち手に関連する従来の技術としては、特許文献１に鞄用把手に関する技術が記載されている。この文献の鞄用把手は、鞄を前後に開く開口部の各側に設けられた持ち手と連結部材とからなり、持ち手は鞄の開口部の夫々の両側に設けられた連結部材の一端部に一定範囲で回動可能に取り付けられた構成とされている。
【０００３】
また、連結部材の他端部は、一方の持ち手の内側面に設けられた凸部と、他方の持ち手の内側面に設けられた凹部とが係合すると共に、一方の持ち手に磁石を備え、この磁石によって一方の持ち手を他方の持ち手に付着させるようにしている。
【０００４】
ところが、上記のように磁石を用いて一方の持ち手を他方の持ち手に結合する構造では、その結合力に限界があり、磁石による結合状態を解除するような強い力が作用したとき、鞄の開口部が開いてしまうという不都合が生じる。
【０００５】
そこで、このような不都合を解消するために、本出願人は、特許文献２に示す鞄用持ち手を案出した。その構造は、夫々別体に形成した第１のハンドルの内側面と第２のハンドルの内側面とを対面して合体することにより、第１のハンドルの内側面に設けられた凸部が第２のハンドルの内側面に設けられた嵌合穴に嵌合される。このとき、第１のハンドルの内側面に設けられた移動片の爪が第２のハンドルの内側面に設けられた溝に係止されることによって、第１のハンドルと第２のハンドルとの結合状態が維持される。また、第１のハンドルの内側面の移動片に形成されたボタンを押し込むと、第１のハンドルの爪が第２のハンドルの溝から解除され、第１のハンドルと第２のハンドルとの結合状態が離脱される。
【０００６】
このような特許文献２の鞄用持ち手は、第１のハンドルと第２のハンドルとを嵌め込む操作とボタンを押込む操作によって、第１のハンドルと第２のハンドルとを合体し、又は解除を行うことが可能とされている。
【先行技術文献】
【特許文献】
【０００７】
【特許文献１】実用新案登録第３０９３１６０号公報
【特許文献２】特開２００８−１４２１１７号公報
【発明の概要】
【発明が解決しようとする課題】
【０００８】
本発明は、上記の特許文献２の鞄用持ち手の改良に係るものである。即ち、特許文献２の鞄用持ち手のように、鞄を前後に開く開口部の各側に設けられた別体のハンドルを合体する構造とした場合、ハンドルの前後の脚部の幅を鞄の厚さの変化に対応し得る構造とするのが望ましい。また、鞄の内部に収容した荷物の重さに偏りがある場合、ハンドルを手で持ったときの鞄の重両バランスが取り難いという不都合が生じる。
【０００９】
さらに、ハンドルを手で持った状態で鞄の側方から衝撃が加えられた場合、この衝撃を緩和する必要があり、また鞄の重量及び不意の衝撃等にも十分に耐え得る構造とする必要がある。
【００１０】
本発明はこのような事情に鑑みてなされたものであり、鞄の開口部に設ける鞄用持ち手を厚さの厚い鞄から薄い鞄にまで取付けることができる汎用性の広い構造とし、鞄内の収納物の重量バランスを均等に保つことができ、さらに鞄に側方から衝撃が加えられたり、鞄の重量及び不意の衝撃等にも十分に耐え得る構造とした鞄用持ち手を提供することを目的とする。
【課題を解決するための手段】
【００１１】
上記の目的を達成するために、本発明の請求項１に記載された鞄用持ち手は、上方開口部を前後各側の方向に開く構造の鞄における前後各側の上部に別体で第１のハンドルと第２のハンドルが設けられると共に、夫々の第１のハンドルと第２のハンドルは、把持部と該把持部の両端に垂設された脚部とから構成され、夫々の把持部が互いに着脱自在に結合されることによって合体するようにした鞄用持ち手において、各脚部の１箇所又は２箇所にヒンジ構造によって回動自在に結合された連結部が設けられ、各脚部の最下部を構成する下脚部には鞄の開口部の前後各側の上部に固定された折返し形状の帯部材を挿着する挿通穴が設けられていることを特徴とする。
【００１２】
また、本発明の請求項２の鞄用持ち手は、請求項１において、各脚部の１箇所をヒンジ構造によって回動自在に結合した連結部を設けた場合、各脚部は上脚部と下脚部とからなり、上脚部と下脚部の連結部に互いに嵌合する凹部と凸部とが形成され、これら凹部と凸部との嵌合部が軸部材で回動自在に連結されていることを特徴とする。
【００１３】
また、本発明の請求項３の鞄用持ち手は、請求項１において、各脚部の２箇所をヒンジ構造によって回動自在に結合した連結部を設けた場合、各脚部は上脚部と中脚部と下脚部とからなり、上脚部と中脚部と下脚部の各連結部に互いに嵌合する凹部と凸部とが形成され、これら凹部と凸部との嵌合部が軸部材で回動自在に連結されていることを特徴とする。
【００１４】
さらに、本発明の請求項４は、請求項１、２又は３において、第１のハンドルと第２のハンドルの各把持部の結合構造は、第１のハンドルの内側面に設けられた凸部を第２のハンドルの内側面に設けられた嵌合穴に嵌合することによって各ハンドルが位置合わせされた状態で合体され、第１のハンドルの内側に形成された横長凹溝に移動片が摺動自在に嵌合され、該移動片の一端がバネで横長凹溝の長手方向に付勢されると共に、移動片の他端に形成されたボタンが第１のハンドルの端部からバネの付勢力に抗して押し込み自在に突出され、第１のハンドルの移動片の面内に爪を有する穴部が形成されると共に、第２のハンドルの内側板に溝付き凸部が設けられ、穴部の爪が溝付き凸部の溝に係止されることによって第１のハンドルと第２のハンドルとの結合状態が維持される一方、移動片のボタンをバネの付勢力に抗して押し込むことによって穴部の爪が溝付き凸部の溝に係止された状態から解除されるように構成されたことを特徴とする。
【発明の効果】
【００１５】
本発明の鞄用持ち手は、各脚部の１箇所又は２箇所にヒンジ構造によって回動自在に結合された連結部が設けられ、各脚部の最下部を構成する下脚部の挿着穴には鞄の開口部の前後各側の上部に固定された折返し形状が挿着されている。従って、このような下脚部と帯部材との結合部においても回動自在の連結部を構成することとなる。このような構成により、各脚部が夫々の連結部で回動するため、第１のハンドルと第２のハンドルの前後の各脚部が鞄の開口部の広がり具合に応じて自在に開脚することが可能となる。
【００１６】
従って、本発明の鞄用持ち手は、厚さの厚い鞄から薄い鞄にまで広い範囲で取付けることができる。また、鞄の内部へ収納した収納物のために鞄の開口部が前後に広がった場合でも柔軟に対応することができ、汎用性の広い鞄用持ち手として利用することが可能となる。
【００１７】
また、本発明によれば、鞄内に収納した物の重量バランスに偏りが生じた場合、各脚部は各連結部によって鞄の厚さ方向へ自在に回動するため、鞄内の重量の偏りを緩和することが可能となる。また、第１のハンドルと第２のハンドルの各把持部を合体した状態で握り持ったとき、鞄の重両バランスを均等に保つことができ、鞄に側方から衝撃が加えられたり、鞄の重量及び不意の衝撃等にも十分に耐え得る構造とすることが可能となる。
【００１８】
さらに、各脚部の２箇所をヒンジ構造で構成した連結部によって回動自在に結合した場合、各脚部は上脚部と中脚部と下脚部と帯部材とが互いに連結された構造となる。従って、各脚部において、上脚部と中脚部とが回動自在に連結された上方連結部と、帯部材と下脚部とが回動自在に連結された下方連結部との間に、中脚部と下脚部とを回動自在に連結する中間連結部が介在し、各脚部の１箇所をヒンジ構造によって回動自在に結合した構造に比して各脚部のフレキシブルな変形が可能となる。
【００１９】
また、各脚部の１箇所をヒンジ構造によって回動自在に結合した連結部を設けた場合、各脚部を構成する上脚部と下脚部とが連結されて上方連結部で回動し、また下脚部と帯部材が下方連結部で連結されて回動する。このため、このような構造においても、鞄の厚さや開口部が前後に広がった際に柔軟に対応することができる。また、鞄内の収納物の重量バランスに偏りが生じた場合でも、各脚部は各連結部によって鞄の厚さ方向へ自在に回動し、鞄内の重量の偏りを緩和することが可能である。さらに、第１のハンドルと第２のハンドルの各把持部を合体した状態で握り持ったとき、鞄の重両バランスを均等に保つことができ、鞄に側方から衝撃が加えられたり、鞄の重量及び不意の衝撃等にも十分に耐え得ることが可能となる。
【図面の簡単な説明】
【００２０】
【図１】本発明による実施例１の鞄用持ち手を鞄に取付けた状況を示す斜視図である。
【図２】本発明による実施例１の鞄用持ち手の側面図である。
【図３】(ａ)は本発明による実施例１の鞄用持ち手の正面図であり、（ｂ）は上面図であり、（ｃ）は前後の第１のハンドルと第２のハンドルに分離した状態を示す上面図である。
【図４】(ａ)は本発明による実施例１の鞄用持ち手の第１のハンドルの内側面を示す図であり、(ｂ)は第１のハンドルの部分断面図であり、(c)は第２のハンドルの内側面を示す図であり、（ｄ）は第２のハンドルの部分断面図である。
【図５】(ａ)は本発明による実施例１の鞄用持ち手の第１のハンドルの分解図であり、(ｂ)は第１のハンドルの組立て後の内側面を示す図であり、移動片のボタンを矢印に示す方向へ押圧する前の状況を示す。
【図６】(ａ)は本発明による実施例１の鞄用持ち手の第２のハンドルの分解図であり、(ｂ)は第２のハンドルの組立て後の内側面を示す図である。
【図７】(ａ)〜(ｃ)は、本発明による実施例１の鞄用持ち手の第１のハンドルと第２のハンドルを結合し合体する操作を示す断面図である。
【図８】本発明による実施例２の鞄用持ち手を鞄に取付けた状況を示す斜視図である。
【図９】本発明による実施例２の鞄用持ち手の側面図である。
【図１０】(ａ)は本発明による実施例２の鞄用持ち手の正面図であり、（ｂ）は上面図であり、（ｃ）は前後の第１のハンドルと第２のハンドルに分離した状態を示す上面図である。
【発明を実施するための形態】
【００２１】
以下、本発明の実施例について図面を参照しながら説明する。
【実施例１】
【００２２】
本実施例の鞄用持ち手１は、図１に示すように、鞄２を前後に開く開口部３の前後各側２ａ、２ｂに別体で設けられた第１のハンドル４と第２のハンドル５とから構成され、各ハンドル４、５は把持部７、８とその両端に脚部６、６…が形成されてなるものである。このような第１のハンドル４と第２のハンドル５は、金属又は合成樹脂材料等によって形成することが可能である。また、図２に示すように、第１のハンドル４と第２のハンドル５は、夫々の外形がほぼ対称形状に形成されると共に、図４(ｂ)、（ｄ）に示すように夫々の把持部７、８の断面形状が略半円形に形成されている。このような構成によって、図２に示すように各ハンドル４、５の内側面を合致させることにより、手で握りやすい略円形断面の把持部７、８を形成することが可能となる。
【００２３】
さらに本実施例の鞄用持ち手においては、図２に示すように、前後のハンドル、即ち第１のハンドル４と第２のハンドル５の各脚部６、６が鞄２の厚さ方向へ互いに開脚状態に形成されると共に、各脚部６、６の上下の２箇所にヒンジ構造によって回動自在に結合された連結部９ａ、９ｂが設けられている。さらに、図１に示すように、各脚部６、６の最下部を構成する下脚部６ｃには鞄２の開口部３の前後各側２ａ、２ｂの上部に固定された折返し形状の帯部材１０を挿着する挿通穴１１が設けられている。
【００２４】
このような構造をより詳細に説明すると、図３（ａ）に示す第１のハンドル４の把持部７の両端から左右の脚部６、６が湾曲を成しながら垂下状に形成されている。なお、図３（ａ）には図示されていないが、第１のハンドル５の把持部８もまた同様に、第１のハンドル４の把持部７と同様に形成されている。このような構成により、これら前後の各脚部６、６は、上脚部６ａと中脚部６ｂと下脚部６ｃと帯部材１０とが互いに連結された構成となる。従って、各脚部６、６は、上脚部６ａと中脚部６ｂとが回動自在に連結された上方連結部９ａと、下脚部６ｃと帯部材１０とが回動自在に連結された下方連結部９ｃとの間に、中脚部６ｂと下脚部６ｃとを回動自在に連結する中間連結部９ｂが介在した構造となる。このため、本実施例の各脚部６、６は、夫々の脚部６、６の１箇所をヒンジ構造によって回動自在に結合した構造に比して各脚部６、６のフレキシブルな変形が可能となる。
【００２５】
また、上方連結部９ａの具体的構造としては、図３（ａ）に示すように、中脚部６ｂの上端に凸部４０が形成され、該凸部４０が上脚部６ａの下端に形成された凹部４１に嵌合され、これらの凸部４０と凹部４１が貫通孔４３に挿着された軸部材４２により回動自在に連結されている。また、下方連結部９ｃの具体的構造も同様に、下脚部６ｃの上端に凸部４０が形成され、該凸部４０が中脚部６ｂの下端に形成された凹部４１に嵌合され、これらの凸部４０と凹部４１が貫通孔４３に挿着された軸部材４２により回動自在に連結されている。
【００２６】
なお、図３（ａ）に示すように、各中脚部６ｂの凸部４０の両側に形成された段部３９は、上脚部６ａの下端湾曲部に接する傾斜状に形成されている。従って、図２に示すように、中脚部６ｂが回動したとき、中脚部６ｂの段部３９が上脚部６ａの側部に当ることによって、中脚部６ｃの回動角度を規制する。また、これと同様に、各下脚部６ｃの凸部４０の両側に形成された段部３９は、中脚部６ｂの下端湾曲部に接する傾斜状に形成されている。従って、図２に示すように、下脚部６ｃが回動したとき、下脚部６ｃの段部３９が中脚部６ｂの側部に当ることによって、下脚部６ｃの回動角度を規制する。
【００２７】
さらに、図３〜図６に示すように、各ハンドル４、５の夫々の脚部６、６…の下端、即ち夫々の下脚部６ｃの下端は横長の幅広部３１に形成され、この幅広部３１に形成された挿通穴１１に折返し形状の帯部材１０を挿入し、該帯部材１０を各側部２ａ、２ｂに縫着又は鋲等の手段で固定している。このような構成により、各脚部６、６…において、鞄２の前後各側２ａ、２ｂに固定された各帯部材１０、１０…と各下脚部６ｃ、６ｃ…との下方連結部９ｃ、９ｃ…は、回動自在の結合構造となる。
【００２８】
上記の構成により、各脚部６、６…における上脚部６ａ、中脚部６ｂ及び下脚部６ｃは、夫々の連結部である上方連結部９ａ、中間連結部９ｂ及び下方連結部９ｃにおいて、鞄２の厚さ又は衝撃等に応じて柔軟に回動し、また鞄２の前後各側２ａ、２ｂの広がり具合に応じて自在に開脚する。また、鞄２内に収容した物の重量バランスに偏りが生じた場合でも、上記の上方連結部９ａ、中間連結部９ｂ及び下方連結部９ｃが鞄２内の重量の偏りに応じて回動することにより、鞄２内の重量の偏りを緩和することが可能となる。
【００２９】
また、本実施例の鞄用持ち手１においては、上記のように、各脚部６、６…における上脚部６ａ、中脚部６ｂ及び下脚部６ｃは、夫々の連結部である上方連結部９ａ、中間連結部９ｂ及び下方連結部９ｃにおいて連結されているため、鞄２の重量や衝撃等によって、各連結部９ａ、９ｂ、９ｃに過重が作用したときでも、その荷重が上方連結部９ａ、中間連結部９ｂ及び下方連結部９ｃに分散し、各連結部９ａ、９ｂ、９ｃに作用する負荷が軽減されることになる。
【００３０】
次に、本実施例における鞄用持ち手１の内部構造について説明する。図５（ａ）、（ｂ）に示すように、第１のハンドル４の内側面には、その内側板１２ａを嵌合する段差溝１３ａと、この段差溝１３ａの内側に移動片１４を摺動自在に嵌合する凹溝１５ａと、その中央に中溝１６ａとが形成されている。また、図５(ａ)の左側端部に示すように、凹溝１５ａには移動片１４のボタン１７を挿通するための案内溝１８が形成されている。さらに、段差溝１３ａの右側端部にはコイルバネ１９の一端を挿着するバネ溝２０が形成されている。
【００３１】
このような構造において、横長の凹溝１５ａは移動片１４の本体部１４ａよりも長手方向にやや長形に形成され、図５(ｂ)に示すように、凹溝１５ａに移動片１４の本体部１４ａを嵌合したとき、該本体部１４ａを凹溝１５ａの長手方向に沿って小幅だけ移動することが可能とされている。
【００３２】
上記の移動片１４は、図５（ａ）に示すように、長方形状の本体部１４ａと該本体部１４ａの左端から細幅の板形状に延長されてなるボタン１７とから形成され、本体部１４ａの右端には上記のコイルバネ１９の他端を係止するバネ係止部２１が設けられている。また、この移動片１４の本体部１４ａの面内には、矩形の穴部２２と該穴部２２の右端に形成された爪２３との組み合わせ構造が左右２箇所に離間して設けられている。爪２３は、図７（ａ）に示すように、第１のハンドル４の内側面から外側へ突出する形状とされ、また爪２３の先端部には傾斜辺２３ａが形成されている。
【００３３】
このような形状の移動片１４の本体部１４ａが、図５(ｂ)に示すように第１のハンドル４の凹溝１５ａに嵌合されることにより、移動片１４はコイルバネ１９の弾性力によって案内溝１８の方向へ付勢され、通常の状態で、移動片１４のボタン１７は、第１のハンドル４の端部からやや突出した状況を呈する状態となる。
【００３４】
なお、図７（ａ）に示すように、第１のハンドル４の案内溝１８には段部１８ａが形成され、移動片１４のボタン１７との境界に形成された折曲部１７ａがコイルバネ１９の不勢力によって段部１８ａに当接することにより、移動片１４が案内溝１８方向へ移動する量を規制するように構成されている。
【００３５】
さらに、図５（ａ）に示すように、第１のハンドル４の内側板１２ａは、第１のハンドル４の段差溝１３ａに嵌合される長方形状を有し、その面内には、上記の移動片１４の左右の穴部２２、２２と爪２３、２３とが形成された位置に対応して、案内穴２４、２４と各案内穴２４の左端に連続して開口した案内凹部２５、２５とが左右２箇所に離間して形成されている。また、これら２組の案内穴２４と案内凹部２５との形成位置から夫々図示の右方に離間して、２個の角形の凸部２６、２６が外側へ向けて突出形成されている（図３（ｃ）参照）。
【００３６】
この第１のハンドル４の内側板１２ａは、その四方に設けられた貫通穴に挿通されたネジ２７、２７…を上記の段差溝１３ａの四方に形成されたネジ穴２８、２８…に螺入することによって、図５（ｂ）に示すように、内側板１２ａが段差溝１３ａを閉塞すると共に、上記の移動片１４を凹溝１５ａ内に摺動自在に覆う構造となる。このように内側板１２ａを段差溝１３ａに固定した状態において、第１のハンドル４の内側板１２ａに離間した２組の案内穴２４、２４に、移動片１４の穴部２２、２２が合致した状態で位置合せされることとなる。また、夫々の移動片１４の爪２３、２３が案内凹部２５、２５から突出した状態となる。
【００３７】
一方、第２のハンドル５の内側面は、図６（ａ）、(ｂ)に示すように、その内側面の面内に内側板１２ｂを支持する段差溝１３ｂと、該段差溝１３ｂの内側に板バネ２９、２９を取り付けるための長尺溝３０とが形成されている。各板バネ２９は、図７（ａ）乃至（ｃ）に示すように、両端が湾曲状に形成された弾性構造を有し、長尺溝３０内において内側板１２ｂの左右の嵌合穴３４、３４に対応する位置に嵌合される。
【００３８】
また、図６（ａ）に示すように、第２のハンドル５の内側板１２ｂには、２個の溝付き凸部３２、３２（図３（ｃ）参照）と、２個の嵌合穴３４、３４が形成されている。これらの溝付き凸部３２、３２と嵌合穴３４、３４は、図７（ｂ）に示すように、第１のハンドル４と第２のハンドル５を結合したとき、第２のハンドル５の溝付き凸部３２、３２が第１のハンドル４の左右の案内穴２４、２４に夫々嵌合し、また第２のハンドル５の嵌合穴３４、３４が第１のハンドル４の左右の凸部２６、２６に嵌合する位置関係に形成されている。
【００３９】
さらに、第２のハンドル５の上記の２個の溝付き凸部３２、３２に設けられた溝３３、３３（図４（ｄ）参照）は、図６（ａ）、（ｂ）に示す左方向に向けて穿設された形状とされ、第２のハンドル５の内側面を第１のハンドル４の内側面に対面して合致したとき、第１のハンドル４の左右の爪２３、２３が第２のハンドル５における左右の溝付き凸部３２、３２の溝３３、３３に係止される関係とされている。
【００４０】
また、図６（ａ）に示すように、第２のハンドル５の内側板１２ｂは、その四方に設けられた貫通穴に挿通されたネジ３５、３５…を把持部８側の段差溝１３ｂの四方に形成されたネジ穴３６、３６…に螺入することによって、図６(ｂ)に示すように、内側板１２ｂが段差溝１３ｂを閉塞する。
【００４１】
上記のように構成された鞄用持ち手の第１のハンドル４と第２のハンドル５とを結合して合体するには、図７（ａ）に示すように、分離状態の第１のハンドル４と第２のハンドル５の夫々の内側を対面して、図７(ｂ)に示すように合致する。これによって、第１のハンドル４の左右の凸部２６、２６が第２のハンドル５の左右の嵌合穴３４、３４に嵌合され、第１のハンドル４と第２のハンドル５との夫々の内側面が位置合わせされた状態で合致される。
【００４２】
このとき、第２のハンドル５の夫々の溝付き凸部３２、３２の端部が第１のハンドル４の夫々の爪２３、２３の傾斜辺２３ａ、２３ａを押圧することによって、移動片１４がコイルバネ１９の付勢力に抗して案内溝１８の方向へ移動する。また、第２のハンドル５の夫々の溝付き凸部３２、３２の溝３３、３３に第１のハンドル４の夫々の爪２３、２３が係止された状態となり、第１のハンドル４と第２のハンドル５とが結合された状態が維持される。
【００４３】
また、図７（ｂ）に示すように、第１のハンドル４と第２のハンドル５とが結合された状態において、移動片１４のボタン１７は第1のハンドル４と第２のハンドル５の端部から外方へ突出した状況にある。そこで、図７(ｃ)に示すように、ボタン１７をコイルバネ１９の付勢力に抗して押し込むことにより、夫々の案内穴２４、２４の爪２３、２３が溝付き凸部３２、３２の溝３３、３３に係止された状態から開放される。同時に、第２のハンドル５の内部に設けられた板バネ２９、２９が第１のハンドル４の左右の凸部２６、２６を外方へ弾発することにより、第１のハンドル４を第２のハンドル５から付勢状態で分離することとなる。
【実施例２】
【００４４】
本実施例の鞄用持ち手の構造は、図８〜図１０に示すように、各脚部６、６…の１箇所にヒンジ構造によって回動自在に結合された上方連結部９ａ、９ａが設けられ、各脚部６、６…の最下部を構成する下脚部６ｃには鞄２の開口部３の前後各側２ａ、２ｂの上部に固定された折返し形状の帯部材１０を挿着する挿通穴１１が設けられている。本実施例において、その他の構造は、実施例１と同様である。従って、本実施例の第１のハンドル４と第２のハンドル５の各把持部７、８の結合構造もまた実施例１と同様に構成されている。
【００４５】
また、本実施例においては、上記のように、各脚部６、６…の１箇所をヒンジ構造によって上方連結部９ａで回動自在に結合してあるため、各脚部６、６…は上脚部６ａと下脚部６ｃとから構成されている。さらに、各脚部６、６…において、下脚部６ｃの下端に設けられた挿通穴１１に帯部材１０が挿入され、該帯部材１０が下方へ折返された状態で各側部２ａ、２ｂに縫着又は鋲等の手段で固定されている。このような構成により、各脚部６、６…における上脚部６ａ、下脚部６ｃ及び帯部材１０は上方連結部９ａと下方連結部９ｃにおいて回動自在に連結された構成となる。
【００４６】
従って、このような構成により、各脚部６、６は、鞄２の開口部３の拡縮又は鞄２への衝撃等に応じて上方連結部９ａと下方連結部９ｃとで柔軟に回動し、また開口部３の前後各側２ａ、２ｂの広がり具合に応じて自在に開脚する。さらに、鞄２内に収容した物の重量バランスに偏りが生じた場合でも、上記の上方連結部９ａ及び下方連結部９ｃが鞄２内の重量の偏りに応じて回動することにより、鞄２内の重量の偏りを緩和することが可能となる。
【産業上の利用可能性】
【００４７】
本発明の鞄用持ち手は、鞄用持ち手を厚さの厚い鞄から薄い鞄にまで取付けることができる汎用性の広い構造とし、鞄内の収納物の重量バランスを均等に保つことができ、さらに鞄に側方から衝撃が加えられたり、鞄の重量及び不意の衝撃等にも十分に耐え得る構造とした鞄用持ち手として利用可能である。
【符号の説明】
【００４８】
１  鞄用持ち手
２  鞄
２ａ、２ｂ  鞄の開口部の前後各側
３  開口部
４  第１のハンドル
５  第２のハンドル
６  脚部
６ａ  上脚部
６ｂ  中脚部
６ｃ  下脚部
７  第１のハンドルの把持部
８  第２のハンドルの把持部
９ａ  上方連結部
９ｂ  中間連結部
９ｃ  下方連結部
１０  帯部材
１１  挿通穴
１２ａ  第１のハンドルの内側板
１２ｂ  第２のハンドルの内側板
１３ａ  第１のハンドルの段差溝
１３ｂ  第２のハンドルの段差溝
１４  移動片
１４ａ  本体部
１５ａ  第１のハンドルの凹溝
１６ａ  第１のハンドルの中溝
１６ｂ  第２のハンドルの中溝
１７  ボタン
１７ａ  屈曲部
１８  案内溝
１８ａ  段差
１９  コイルバネ
２０  バネ溝
２１  バネ係止部
２２  穴部
２３  爪
２３ａ  傾斜辺
２４  案内穴
２５  案内凹部
２６  凸部
２７  ネジ
２８  ネジ穴
２９  板バネ
３０  長尺溝
３１  幅広部
３２  溝付き凸部
３３  溝
３４  嵌合穴
３５  ネジ
３６  ネジ穴
３９  段部
４０  凸部
４１  凹部
４２  軸部材
４３  貫通孔
【図１】
2012110496.tif 000003
【図２】
2012110496.tif 000004
【図３】
2012110496.tif 000005
【図４】
2012110496.tif 000006
【図５】
2012110496.tif 000007
【図６】
2012110496.tif 000008
【図７】
2012110496.tif 000009
【図８】
2012110496.tif 000010
【図９】
2012110496.tif 000011
【図１０】
2012110496.tif 000012